(57)【要約】【課題】ドラム内の可燃物を良好に反転させ繰り返し加熱することにより、効率良く死鶏等の含水率の高い廃棄物を完全燃焼させることができる回転式焼却炉を提供する。【解決手段】筒状ドラム２を周方向に回転させる回転式焼却炉において、筒状ドラム２の燃焼室内に、その内周に沿って正逆回動可能なロストル（火格子）３を設け、ドラム２を閉蓋する蓋体１を設け、蓋体１内側面にロストル３を水平に固定可能な嵌合凹部１ａを設ける。【選択図】  図１
2015140963.tif 000002
【特許請求の範囲】
【請求項１】
内部に燃焼室を有する筒状ドラムを周方向に回転させながら燃焼室内で被焼却物を焼却し得るようにした回転式焼却炉において、燃焼室内に内周に沿って正逆回動可能なロストル（火格子）を設けたことを特徴とする回転式焼却炉。
【請求項２】
ドラムを閉蓋する蓋体を設け、該蓋体内側面にロストルを水平に固定可能な嵌合凹部を設けたことを特徴とする請求項１記載の回転式焼却炉。
【請求項３】
焼却灰の排出口側に向かって低くなる勾配を設けたことを特徴とする請求項１又は請求項２記載の回転式焼却炉。
【請求項４】
ロストルが多角柱状に形成されていること特徴とする請求項１乃至請求項３のいずれかに記載の回転式焼却炉。
【発明の詳細な説明】
【技術分野】
【０００１】
本願発明は、燃焼室となるドラムを回転させながら廃棄物を焼却する回転式焼却炉に関し、とくに含水率の高い死鶏等の焼却に好適な回転式焼却炉に関する。
【背景技術】
【０００２】
従来からドラム型の燃焼室を回転さることにより、燃焼室内の被焼却物を撹拌しながら焼却するようにした回転式の焼却炉が提案されている。従来のこの種の回転式焼却炉は、単胴の筒体で、内部に撹拌羽根や補助板等を設置して投入された廃棄物の拡散や移動を調整し燃焼効果を向上させる工夫が種々施されている。
【０００３】
例えば、横向き姿勢のドラムを回転駆動装置で回転させながら燃焼室内で被焼却物を焼却し得るようにした回転式焼却炉で、燃焼室の内面を耐火壁で形成するとともに、燃焼室の内面に周方向の断面が四角形以上の多角形となるように形成し、ドラムの回転に伴って被焼却物が上方に持ち上げられるときに被燃焼物が燃焼室内面をそのまま滑り落ちないようにして、被燃焼物の撹拌作用を良好にし、被燃焼物全体が均一に燃焼されるようにした回転式焼却炉が提案されている。
【先行技術文献】
【特許文献】
【０００４】
【特許文献１】特開平０８−３１２９３２号公報
【発明の概要】
【発明が解決しようとする課題】
【０００５】
しかしながら、死鶏のような含水率が高い廃棄物や生ゴミ等は、炉に投入した廃棄物を全部燃やしきるためには、表層部分が焼却された後でないと深層部分が燃焼しないので、被焼却物全体を完全に焼却するのに長時間を要し熱効率が低下するという問題があった。本発明は、従来技術の課題に鑑み、ドラム内の可燃物を良好に反転させ繰り返し加熱することにより、効率良く死鶏等の含水率の高い廃棄物を完全燃焼させることができる回転式焼却炉を提供することを目的とする。
【課題を解決するための手段】
【０００６】
本願発明は、上記課題を解決するための手段として、内部に燃焼室を有する筒状ドラムを周方向に回転させながら燃焼室内で被焼却物を焼却し得るようにした回転式焼却炉において、燃焼室内に内周に沿って正逆回動可能なロストル（火格子）を設けたことを第１の特徴とする。また、ドラムを閉蓋する蓋体を設け、該蓋体内側面にロストルを水平に固定可能な嵌合凹部を設けたことを第２の特徴とする。さらに、焼却灰の排出口側に向かって低くなる勾配を設けたことを第３の特徴とする。さらにまた、ロストルが多角柱状に形成されていることを第４の特徴とする。
【発明の効果】
【０００７】
本発明は以下の優れた効果を奏する。
（１）ロストルにより燃焼室内の被焼却物は、細かく砕かれ且つ撹拌されて、空気の混入が促進されて燃焼効率が向上し、バーナの稼働時間も少くて済む。
（２）ロストルを正逆回動可能に設けたので、焼却灰を灰受タンクに左右振分けて均一に収容することができ、焼却灰の廃棄の手間が省力化できる。
（３）焼却灰の排出口側に向かって低くなる勾配を設けたので、ドラムの回転により自動的に焼却灰を排出することができる。
【図面の簡単な説明】
【０００８】
【図１】本発明に係る回転式焼却炉の一部断面側面図である。
【図２】本発明に係る回転式焼却炉の正面図である。
【図３】ロストルの一例を示す斜視図である。
【発明を実施するための形態】
【０００９】
以下、図面にしたがって本発明回転式燃焼炉の一実施例を説明する。
【実施例】
【００１０】
以下、図１乃至図３に示すように、本発明に係る回転式焼却炉は、内部に燃焼室を有する筒状ドラム２を、一対の駆動ローラ８で周方向に回転させながら燃焼室内で被焼却物を焼却し得るようにした回転式焼却炉である。
【００１１】
筒状ドラム２は、鋼板製の円筒体内に、耐火セメントを使用して所定厚さの耐火壁を設けて、この耐火壁内が燃焼室となる。筒状ドラム２の燃焼室内には、その内周に沿って正逆回動可能なロストル（火格子）３が設けられている。
【００１２】
このロストル３は、多角柱状、本実施例では六角柱状に形成され、燃焼室内の被焼却物は、このロストル３によって細かく砕かれ且つ撹拌されて、空気の混入が促進される。
【００１３】
筒状ドラム２の正面側には、ドラム２を閉蓋する蓋体１が設けられており、この蓋体１に、被焼却物である廃棄物の投入口９及びバーナ４が取付けられ蓋体１を閉じた状態で、ロストル３を手動で１２０度ずつ回転させながら順次固定した状態で燃焼させる。
【００１４】
蓋体１の内側面には、ロストル３を水平に固定可能な嵌合凹部１ａが設けられており、ロストル３を手動で回転させ、所望の位置で固定し燃焼させることで、被焼却物全体を満遍なく燃焼できるようにされている。
【００１５】
回転式焼却炉全体は、焼却灰１２の排出口側に向かって２〜３度程度傾斜して低くなる勾配が設けられている。これにより、筒状ドラム２の回転により自動的に焼却灰１２を排出することができる。
【００１６】
すなわち、筒状ドラム２の入口には、廃棄物投入口９が形成されており、この投入口９は扉で閉塞されている。尚、蓋体１及び投入口９のそれぞれ内面側には耐火セメントが打設されている。バーナ４は筒状ドラム２の内面に突出させたノズルから燃料を吐出して火炎を放射する。
【００１７】
筒状ドラム２の出口側には、排気用のサイクロン５が設置され、連通路２ａを介して連設されている。さらにサイクロン５の上部には煙突６が取り付けられている。尚、連通路２ａ及びサイクロン５の各内面には、それぞれ耐火セメントが打設されている。
【００１８】
本実施例の回転式焼却炉では、バーナにより着火された廃棄物が回動するドラム内で自己の燃焼熱で更に燃焼を続ける。すなわち、被燃焼物は自燃しながら完全燃焼し、ロストル３から灰１２を落下させて排出する。
【符号の説明】
【００１９】
１    蓋体（外套）
１ａ  ロストル嵌込凹部
２    ドラム（燃焼炉）
３    ロストル（火格子）
４    バーナ
５    サイクロン
６    煙突
７    補強板
８    駆動ローラ
９    廃棄物投入口
１０  灰受タンク
１１  ラチェットレバー
１２  焼却灰
【図１】
2015140963.tif 000003
【図２】
2015140963.tif 000004
【図３】
2015140963.tif 000005